(57)【特許請求の範囲】
【請求項１】
第１の電気エネルギー貯蔵装置（１１）および第２の電気エネルギー貯蔵装置（１２）を備える電気エネルギー貯蔵器（１）と、
電動機（３）と、
第１の駆動モードでは、前記第１の電気エネルギー貯蔵装置（１１）により提供された第１の電圧を利用して前記電動機（３）を駆動し、第２の駆動モードでは、前記第１の電気エネルギー貯蔵装置（１１）および前記第２の電気エネルギー貯蔵装置（１２）から成る並列回路により得られた第２の電圧を利用して前記電動機（３）を駆動するよう構成されたインバータ（２）と、
を備え、
前記インバータ（２）はさらに、回収モードにおいて、前記電動機（３）により提供された電圧を整流し、前記第１の電気エネルギー貯蔵装置（１１）および／または前記第２の電気エネルギー貯蔵装置（１２）に提供するよう構成され、
前記第１の電気エネルギー貯蔵装置（１１）と前記第２の電気エネルギー貯蔵装置（１２）とは、充電サイクルの数が異なり、
前記第１の電気エネルギー貯蔵装置（１１）と前記第２の電気エネルギー貯蔵装置（１２）とのうちの、より充電サイクルの数が大きい電気エネルギー貯蔵装置が、優先的に充電され、
前記第１の電気エネルギー貯蔵装置（１１）と前記第２の電気エネルギー貯蔵装置（１２）とは、同一の構成である、電気駆動システム。
【請求項２】
前記インバータ（２）は、ＮＰＣ（Ｎｅｕｔｒａｌ−Ｐｏｉｎｔ  Ｃｌａｍｐｅｄ。中性点クランプ式）インバータを含む、請求項１に記載の電気駆動システム。
【請求項３】
前記第１の電気エネルギー貯蔵装置（１１）と前記第２の電気エネルギー貯蔵装置（１２）とは、接点（Ｋ）で互いに電気的に接続され、前記接点（Ｋ）は、前記ＮＰＣインバータの中間端子と電気的に接続されている、請求項２に記載の電気駆動システム。
【請求項４】
前記第１の電気エネルギー貯蔵装置（１１）は、主バッテリを含む、請求項１〜３のいずれか１項に記載の電気駆動システム。
【請求項５】
請求項１〜４のいずれか１項に記載の電気駆動システムを備える自動車。
【発明の詳細な説明】
【技術分野】
【０００１】
本発明は、電気駆動システム、電気駆動システムを備えた自動車、および電動機を駆動する方法に関する。
【背景技術】
【０００２】
例えば電気で駆動する乗用車のような電気自動車で、良好な加速とともに速い最高速度を実現するために、様々な構想が知られている。例えば、電動機は、二段の変速機構を介して車輪と結合されうる。さらに、特にスポーツカータイプで出力が高い自動車の場合に、回転数が高い際にも未だ十分な回転トルクを提供できるために、対応した大きさに電動機の寸法を定めることも知られている。
【０００３】
独国特許出願公開第１０２０１１０５６０１２号明細書では、さらに、２つの別々の電動機を備えた電気自動車のためのドライブトレインが記載されており、ここでは、第１の電動機は、より高い最大回転トルクのための第２の電動機と比較して、より低い最大回転数のために設計されている。
【発明の概要】
【発明が解決しようとする課題】
【０００４】
特に電気自動車のための電気駆動システム分野においてさらなる開発が進んでいることから、安価で、効率良く昇圧（ｂｏｏｓｔ）が可能な電気駆動システムに対する需要が発生している。
【課題を解決するための手段】
【０００５】
このために、本発明は、第１の観点に従って、第１の電気エネルギー貯蔵装置および第２の電気エネルギー貯蔵装置を備える電気エネルギー貯蔵器と、電動機と、第１の駆動モードでは第１の電気エネルギー貯蔵装置により提供された第１の電圧を利用して電動機を駆動し、第２の駆動モードでは第１の電気エネルギー貯蔵装置および第２の電気エネルギー貯蔵装置から成る並列回路により得られる第２の電圧を利用して電動機を駆動するよう構成されたインバータとを備える、電気駆動システムを創出する。
【０００６】
第２の観点に従って、本発明は、電動機を駆動する方法であって、第１の電気エネルギー貯蔵装置および第２の電気エネルギー貯蔵装置を備える電気エネルギー貯蔵器を準備する工程と、第１の駆動モードにおいて、第１の電気エネルギー貯蔵装置により提供された第１の電圧を利用して電動機を駆動する工程と、第２の駆動モードにおいて、第１の電気エネルギー貯蔵装置および第２の電気エネルギー貯蔵装置から成る並列回路により得られた第２の電圧を利用して電動機を駆動する工程とを含む、上記方法を創出する。
【発明の効果】
【０００７】
本発明の根底には、現時点で必要な所要電力に従って、様々な電圧により電気駆動システム内の電動機を駆動するという考えがある。回転数が小さくまたは所要電力が小さい際には、電動機は、適切なエネルギー貯蔵装置からのより低い電圧によって駆動されうる。さらに、特に回転数が高い際に出力を上げるために、上記エネルギー貯蔵装置と他のエネルギー貯蔵装置とを組み合わせることによって、電動機を駆動するための電圧を上げることが可能である。
【０００８】
このようにして、所要電力が小さい際にも効率の良い動作点で電動機を駆動することが可能である。これにより、所要電力が小さい際に、部分負荷駆動時の従来の駆動システムよりも高い非常に良好な効率が実現される。
【０００９】
例えば、回転数が高い際の強い加速のためまたは比較的速度が速い際の電気自動車の駆動のために、所要電力がより大きい際には、さらに、追加的なエネルギー貯蔵装置によって、電動機を駆動するための電圧を高めることが可能である。例えば、このために、複数のエネルギー貯蔵装置が直列に接続され、したがって、電動機の駆動のために、個々のエネルギー貯蔵装置の端子電圧の総和が提供される。
【００１０】
したがって、電動機を本発明に基づいて駆動することによって、一方では、所要電力が小さい際に高い効率が獲得され、さらに、高出力および高い回転数のためにも十分なエネルギー貯蔵量が提供される。この駆動モードは、昇圧（Ｂｏｏｓｔ）駆動モードとも呼ばれる。この昇圧駆動モードでは、従来の駆動システムを比較的小さく変更するだけでよい。コストが掛かるトランスミッション、追加的な電動機等が必要な従来の解決策に対して、電動機のコスト、重量、および容量が下がる。
【００１１】
一実施形態によれば、インバータは、ＮＰＣ（Ｎｅｕｔｒａｌ−Ｐｏｉｎｔ  Ｃｌａｍｐｅｄ。中性点クランプ式）インバータを含む。ＮＰＣインバータによって、従来のＢ６ブリッジと比べて、耐電圧性が変えられていないスイッチング素子が使用された状態で出力電圧を２倍にすることが可能である。このようにして、対応して電圧が高い駆動モードにおいて電動機を駆動することが可能であり、その際にそのために、耐電圧性がより優れた新しいスイッチング素子を開発する必要はない。十分な耐電圧性を備えた対応する半導体スイッチ要素、特に、ＭＯＳＦＥＴ（ｍｅｔａｌ  ｏｘｉｄｅ  ｓｅｍｉｃｏｎｄｕｃｔｏｒ  ｆｉｅｌｄ−ｅｆｆｅｃｔ  ｔｒａｎｓｉｓｔｏｒ。ＭＯＳ電解効果トランジスタ）、ＩＧＢＴ（ｉｎｓｕｌａｔｅｄ−ｇａｔｅ  ｂｉｐｏｌａｒ  ｔｒａｎｓｉｓｔｏｒ。絶縁ゲート・バイポーラ・トランジスタ）、炭素ケイ素（ＳｉＣ）スイッチング素子、または、窒化ガリウム（ＧａＮ）スイッチング素子が、既に市場で入手可能である。さらに、ＮＰＣインバータの使用によって、可能なより高いスイッチング周波数により、必要とされるパッシブ（ｐａｓｓｉｖ）な構成要素の小型化も可能となり、その際にこのことが効率に対して重大な影響を及ぼさない。さらに、スイッチの故障が、必ずしもＮＰＣインバータの完全な故障には繋がらず、これにより、電気駆動システムの利便性も上げられる。
【００１２】
他の実施形態によれば、第１の電気エネルギー貯蔵装置と第２の電気エネルギー貯蔵装置とは、接点で互いに電気的に接続されている。この接点は、ＮＰＣインバータの中間端子（中性点）と電気的に接続されている。このようにして、例えばエネルギー貯蔵器として、センタータップ付きの電池が使用されうる。この場合、センタータップは、２つのエネルギー貯蔵装置の間の接点である。このようにして、本発明に係る電気駆動システムのためのエネルギー供給が、特に簡単に実現されうる。
【００１３】
一実施形態によれば、インバータはさらに、回収モードにおいて、電動機により提供された電圧を整流するよう構成される。この整流された電圧は、インバータによって、第１の電気エネルギー貯蔵装置および／または第２の電気エネルギー貯蔵装置に提供されうる。このようにして、電動機によって運動エネルギーを電気エネルギーに変換し、この電気エネルギーを再び電気貯蔵器に供給することが可能である。
【００１４】
一実施形態によれば、第１の電気エネルギー貯蔵装置と第２の電気エネルギー貯蔵装置とは異なる構成をしている。例えば、第１の電気貯蔵装置は、高エネルギー貯蔵装置を含みうる。このような高エネルギー貯蔵装置は、大量のエネルギーを貯蔵して、必要な際にこのエネルギーを再び放出するよう構成されている。このようにして、例えば第１の電気エネルギー貯蔵装置によって、電動機の長期間の駆動のために必要なエネルギーが提供されうる。さらに、例えば第２の電気エネルギー貯蔵装置が、高性能エネルギー貯蔵器として実現されうる。このような高性能エネルギー貯蔵器は、特に、大量の電気エネルギーを非常に迅速に提供することができる。この提供された電気エネルギーは、例えば、強い加速過程、または、特に高出力での電動機の短時間の駆動のために利用されうる。２つの電気エネルギー貯蔵装置が互いに異なって実現されることで、この２つのエネルギー貯蔵装置の各々が個別に各要請に対して適合されうる。
【００１５】
さらに、例えば電気エネルギー貯蔵器による回収の間に、インバータによっても充電される場合には、特に、２つの電気エネルギー貯蔵装置の一方が好適に選択されうる。この場合に、上記回収過程の間に充電すべきエネルギー貯蔵装置が、増大された数による充電サイクルのために最適化されうる。このためには、例えば、スーパーキャパシタ（Ｓｕｐｅｒｃａｐ）等が特に適している。回収の間に、増大された数による充電サイクルのために設計されたエネルギー貯蔵装置が充電される場合には、このようにして、エネルギー貯蔵装置全体の推定耐用寿命が延ばされる。
【００１６】
代替的な実施形態において、第１の電気エネルギー貯蔵装置と第２の電気エネルギー貯蔵装置とは、同一の構成をしている。このようにして、必要な電気エネルギー貯蔵器が、開発コストが増大することなく特に簡単に実現されうる。
【００１７】
他の実施形態によれば、第１の電気エネルギー貯蔵装置は主バッテリを含む。これにより、本発明に係る駆動システムのための電気エネルギー貯蔵器が特に簡単に構成されうる。
【００１８】
一実施形態によれば、第１の電気エネルギー貯蔵装置および／または第２の電気エネルギー貯蔵装置は、少なくとも３００Ｖの端子電圧を有しうる。好適に、対応する端子電圧は、約４００Ｖの電圧を有する。このような電圧レベルのために、例えば主バッテリおよびＮＰＣインバータ等の、耐電圧性が充分に優れた数多くの提供可能な構成要素が既に存在する。したがって電気駆動システムはこの場合特に簡単かつ安価で構成されうる。
【００１９】
一実施形態によれば、電動機は、当該電動機の回転数が所定の第１の限界値を上回りおよび／または当該電動機により提供される回転トルクが所定の第２の限界値を上回る場合には、第２の駆動モードで駆動される。電動機の回転数および／または要求される回転トルクに従って、２つの駆動モードを切り替えることによって、どんな場合にも最適な駆動モードが選択され、したがって、一方では、電動機が非常に効率良く駆動され、さらに、一時的な高い出力要求も考慮されうる。
【００２０】
他の観点に従って、本発明は、本発明に係る電気駆動システムを備えた自動車を創出する。本発明に係る電気駆動システムを、例えば乗用車等の自動車、または、例えばバスもしくはトラック等の他の自動車に組み込むことによって、特に加速時または速度が速い際にも十分な電力の蓄積量を提供する効率の良い駆動システムが、非常に広いパワースペクトルに亘って提供される。
【００２１】
本発明のさらなる別の実施形態および利点が、添付の図面に関する以下の明細書の記載から明らかとなろう。
【図面の簡単な説明】
【００２２】
【図１】一実施形態に係る電気駆動システムの概略図を示す。
【図２】一実施形態に係るＮＰＣインバータを備えた電気駆動システムの概略図を示す。
【図３】一実施形態に係る駆動システムを備えた自動車の概略図を示す。
【図４】電動機の回転数に対する回転トルクの推移の概略図を示す。
【図５】一実施形態の土台となる、電動機を駆動する方法の概略図を示す。
【発明を実施するための形態】
【００２３】
図１は、一実施形態に係る電動機の概略図を示している。電気エネルギー貯蔵器１は、その電気エネルギーをインバータ２に供給する。インバータ２は、電気エネルギー貯蔵器１により提供された直流電圧を、単相または多相の交流電圧に変換し、この交流電圧を用いて電動機３を駆動する。
【００２４】
電気エネルギー貯蔵器１は、基本的に、２つの外部端子であるプラスおよびマイナスの他にさらに追加的なセンタータップＫを有する任意の電気エネルギー貯蔵器でありうる。例えば、エネルギー貯蔵器１は、２つの部分から成るエネルギー貯蔵器であって、第１の電気エネルギー貯蔵装置１１と第２の電気エネルギー貯蔵装置１２とを備える上記エネルギー貯蔵器でありうる。第１の電気エネルギー貯蔵装置１１と第２の電気エネルギー貯蔵装置１２とは、接点で互いに電気的に接続されている。この場合、接点は、電気エネルギー貯蔵器１のセンタータップＫである。ここに示される例では、第１の電気エネルギー貯蔵装置１１の正の端子が、第２の電気エネルギー貯蔵装置１２の負の端子と接続されており、接点がインバータ２と接続されている。さらに、第１の電気エネルギー貯蔵装置１１の負の端子および第２の電気エネルギー貯蔵装置１２の正の端子が、インバータ２と接続されている。代替的に、第１の電気エネルギー貯蔵装置１１の負の端子が第２のセネルギー貯蔵装置１２の正の端子と接続されたエネルギー貯蔵器１も可能である。
【００２５】
その際に、電気エネルギー貯蔵器１は、センタータップＫを有する１つのバッテリであり、２つのエネルギー貯蔵装置１１および１２は各々、１つ以上のバッテリセルにより形成されている。代替的に、電気エネルギー貯蔵器１は、２つの別々のバッテリによっても形成されうる。その際には、２つのバッテリの各々が、エネルギー貯蔵装置１１または１２に相当する。この場合、２つのバッテリの間の電気的接続がセンタータップＫとなる。
【００２６】
その際に、第１の電気エネルギー貯蔵装置１１の端子電圧は、厳密にまたは少なくとも近似的に、第２の電気エネルギー貯蔵器１２の端子電圧に相当しうる。代替的に、第１の電気的エネルギー貯蔵装置１１と第２の電気的エネルギー貯蔵装置１２とが、異なる端子電圧を有するということも同様に可能である。好適に、少なくとも、第１の電気エネルギー貯蔵装置１１での端子電圧は、例えば電気自動車の電動機を駆動するために使用されるような従来の主バッテリの端子電圧に相当する。このような主バッテリは、通常は、少なくとも３００Ｖの端子電圧、特に約３００Ｖ〜４００Ｖの端子電圧を有する。
【００２７】
電気エネルギー貯蔵器１の第１の電気エネルギー貯蔵装置１１と第２の電気エネルギー貯蔵装置１２とは、同一の構成をしていてもよい。しかしながら、第１の電気エネルギー貯蔵装置１１と第２の電気エネルギー貯蔵装置１２とが、その構成において、または少なくとも、エネルギー貯蔵容量および／または端子電圧等のパラメータにおいて異なっているということも可能である。例えば、第１の電気エネルギー貯蔵装置１１が、第２の電気エネルギー貯蔵装置１２よりも大きくまたは小さいエネルギー貯蔵容量を有するということが可能である。第１の電気エネルギー貯蔵装置１１は、例えば、高エネルギー貯蔵器として設計可能である。このような高エネルギー貯蔵器は、比較的小さな貯蔵容量で大量のエネルギーを貯蔵し、必要な場合にこの電気エネルギーを提供することが可能である。第２の電気エネルギー貯蔵装置１２は、例えば、高性能エネルギー貯蔵器として実現されうる。このような高性能エネルギー貯蔵器は、非常に短時間で大量のエネルギー、特に大量の電気エネルギーを提供することが可能である。したがって、このような高性能エネルギー貯蔵器によって、例えば所要電力が非常に大きい際に、必要な電気エネルギーを非常に迅速に提供することが可能である。例えば、このような高性能貯蔵器は、スーパーキャパシタ（Ｓｕｐｅｒｃａｐ）等でありうる。しかしながら、他の貯蔵技術も同様に可能である。
【００２８】
さらに、電気エネルギー貯蔵器１の２つの電気エネルギー貯蔵装置１１および１２は、互いに異なる数の最大充電サイクルに対しても最適化されうる。したがって、例えば、２つの電気エネルギー貯蔵装置１１または１２の一方が、特に大きな数の充電サイクルに対して最適化され、エネルギー貯蔵装置１１または１２の各他方が、より小さな数の充電サイクルのために設計される。この場合、回収モードでは、電気エネルギーが好適に、より大きな数の充電サイクルのために設計された電気エネルギー貯蔵装置１１または１２へと供給される。これにより、より小さい数の充電サイクルのために設計されたエネルギー貯蔵装置１１または１２には、回収過程の間負荷が掛からない。このようにして、電気エネルギー貯蔵器１が、低コストで、長い寿命のために形成されうる。
【００２９】
電気エネルギー貯蔵器１の３つの端子、すなわち、負の端子、正の端子、および、センタータップＫは、インバータ２と電気的に接続されている。例えば、このインバータは、中性点クランプ式（ＮＰＣ：Ｎｅｕｔｒａｌ−Ｐｏｉｎｔ  Ｃｌａｍｐｅｄ）インバータでありうる。このインバータ２は、電気エネルギー貯蔵器１により提供された直流電流を、単相または多相の交流電圧へと変換する。この変換された交流電圧によって、インバータ２と電気的に接続された電動機３が駆動される。その際に、インバータ２の駆動は、制御装置４により生成されてインバータ２に提供される制御信号に基づいて行われうる。制御装置４での制御信号の生成は例えば、所定の回転数、または電動機３に提供される回転トルク等の制御パラメータ４１に基づいて行われうる。
【００３０】
第１の駆動モードでは、インバータ２は、電気エネルギー貯蔵器１の部分電圧であって、第１の電気エネルギー貯蔵装置１１により提供される上記部分電圧のみを利用して電動機３を駆動することが可能である。第２の電気エネルギー貯蔵装置１２は、この第１の駆動モードでは、電動機３の駆動のために利用されない。したがって、この第１の駆動モードでは、電動機３がそれにより駆動可能な電圧の振幅が、第１の電気エネルギー貯蔵装置１１の端子電圧によって制限されている。通常では、第１の電気エネルギー貯蔵装置１１により提供される電圧は、所定の限界値までの回転数範囲において電動機３を駆動するためには十分である。回転数の上記限界値までは、電動機３は、第１のエネルギー装置１１が提供する電圧のみを利用しても、良好に加速されうる。さらに、回転数がより高い際にも電動機を良好に加速しうるため、または回転数がより高い際にも電動機３によって十分な回転トルクを提供しうるために、電動機３は、インバータ２によって、他の駆動モードで、電気エネルギー貯蔵器１での全電圧を利用して駆動されうる。この場合には、インバータ２は、電動機３を駆動するために、第１の電気エネルギー貯蔵装置１１と第２の電気エネルギー貯蔵装置１２との並列回路から得られる電圧であって、電気エネルギー貯蔵器１の正の端子と負の端子の間の上記電圧を利用する。このより高い電圧を利用することによって、インバータ２は、対応して振幅がより高い交流電圧も電動機３に提供することが可能である。したがって、回転数がより高い際にも、電動機３によって十分に高い回転トルクが提供され、または、回転数がより高い際にも、電動機３の改善された加速が達成されうる。これに関して、電動機３の絶縁、特に電動機３内のコイルの絶縁も対応して耐電圧性に優れて設けられることに注意されたい。すなわち、電動機３の耐電圧性は、電気貯蔵器１の正の端子と負の端子の間で得られる電圧、つまり、第１の電気エネルギー貯蔵装置１１と第２の電気エネルギー貯蔵装置１２との並列回路により得られる電圧に対して適合される必要がある。さらに、電気駆動システム、特に、電動機３およびインバータ２は、高電力のために、さらにこれに関連して、この第２の駆動モードで生じうる発熱のために、設計される必要がある。
【００３１】
インバータ２が、第１の駆動モードで、電気エネルギー貯蔵装置１１からの電圧のみを利用して電動機３を駆動するのか、または、電動機３が、第１の電気エネルギー貯蔵装置１１と第２の電気エネルギー貯蔵装置１２とから成る電気エネルギー貯蔵器１の全電圧を利用して駆動されるかについての決定は、電動機３の回転数、および／または、電動機３で設定される回転トルクに基づいて決められる。先に記載したように、回転数が低い際または電動機３で設定される回転トルクが低い際には、第１の電気エネルギー貯蔵装置１１の電圧のみを利用して電動機３を駆動することで十分である。これに対して、回転数がより高い際または設定される回転トルクがより高い際には、電動機３は、第１の電気エネルギー貯蔵装置１１および第２の電気エネルギー貯蔵装置１２からの電圧を利用して駆動される。各駆動モードの選択は、制御装置４によって、当該制御装置４に提供される制御パラメータ４１を利用して行われうる。その際に、制御装置４は、例えば、電動機の目標回転数および電動機で設定される回転トルクについてのデータを受信して、このデータから適切な駆動モードを定めることが可能である。続いて、このようにして定められた駆動モードでインバータ２が駆動される。
【００３２】
上記の２つの駆動モードの他に、回収モードがさらに可能である。このさらなる別の駆動モードでは、電動機３は発電機として駆動される。その際に、電動機３は、インバータ２に単相または多相の交流電圧を提供し、この単相または多相の交流電圧は、インバータ２によって直流電圧に変換される。インバータ２は、この駆動モードでは、すなわち整流器として機能する。このように整流された電圧を、エネルギー貯蔵器１に提供して、当該エネルギー貯蔵器１を充電することが可能である。その際に、電気エネルギー貯蔵器１の第１の電気エネルギー貯蔵装置および第２の電気エネルギー貯蔵装置を同時に充電することが可能である。代替的に、２つのエネルギー貯蔵装置１１または１２の一方のみ充電することが可能である。例えば、現時点で充電状態がより低いエネルギー貯蔵装置１１または１２のみを充電することが可能である。さらに、２つのエネルギー貯蔵装置１１または１２の一方を好ましいように充電させることも可能である。例えば、２つのエネルギー貯蔵装置１１または１２の一方が、より大きな数の充電サイクルに対して最適化されうる。この場合に、各他方のエネルギー貯蔵装置１１または１２は、低コストで、より小さい数の充電サイクルのために設計されうる。
【００３３】
図２は、一実施形態に係る電気駆動システムの概略図を示している。ここでは、インバータ２は、ＮＰＣインバータとして実現されている。このようなＮＰＣインバータは、特に、上述の電気駆動システムのためのインバータとして適している。センタータップＫと、電気エネルギー貯蔵器１の正または負の端子との間にはそれぞれ中間回路コンデンサＣ１、Ｃ２が配置されている。ここに示すインバータの３つの位相はそれぞれ、４つの半導体スイッチ要素Ｔ１〜Ｔ４、Ｔ５〜Ｔ８、およびＴ９〜Ｔ１２を含む。しかしながら基本的に、ここに提示する接続原則を用いて、３とは異なる数の位相も実現される。その際に、第１の位相について、４つのスイッチ要素Ｔ１〜Ｔ４が、エネルギー貯蔵器１の正の端子と負の端子との間に直列に接続されている。第２の半導体スイッチ要素Ｔ２と第３の半導体スイッチ要素Ｔ３との間の中央の接点は、電動機３の１の位相端子と接続されている。第１の半導体スイッチ要素Ｔ１と第２の半導体スイッチ要素Ｔ２との間の接点、および、第３の半導体スイッチ要素Ｔ３と第４の半導体スイッチ要素Ｔ４との間の接点はそれぞれダイオードＤ１またはＤ２を介して、電気エネルギー貯蔵器１のセンタータップＫと接続されている。その際に、さらなる別の位相の構造は、図２に示すように、今説明した第１の位相と同様である。
【００３４】
このように実現された、ＮＰＣインバータの形態によるインバータ２によって、例えばＭＯＳＦＥＴ（ｍｅｔａｌ  ｏｘｉｄｅ  ｓｅｍｉｃｏｎｄｕｃｔｏｒ  ｆｉｅｌｄ−ｅｆｆｅｃｔ  ｔｒａｎｓｉｓｔｏｒ。ＭＯＳ電解効果トランジスタ）またはＩＧＢＴ（ｉｎｓｕｌａｔｅｄ−ｇａｔｅ  ｂｉｐｏｌａｒ  ｔｒａｎｓｉｓｔｏｒ。絶縁ゲート・バイポーラ・トランジスタ）等の従来のスイッチング素子の使用も、さらに、高速でスイッチングする新型の炭素ケイ素（ＳｉＣ）スイッチまたは窒化ガリウム（ＧａＮ）スイッチの使用も可能となる。
【００３５】
図３は、一実施形態に係る電気駆動システムを備えた電気自動車５の概略図を示している。電気エネルギー貯蔵器１は、インバータ２に電力供給する。これに基づいて、インバータ２は、電動機３を駆動する。電動機３は、トランスミッションおよび機械的接続を介して、電気自動車５の軸の車輪５１と結合されている。ここでは、電動機３の回転数、したがって電気自動車５の速度と、所望の加速度または設定される回転トルクとに従って、電動機３は、エネルギー貯蔵器１により提供された全電圧によって駆動され、またはセンタータップと電気エネルギー貯蔵器１の外部端子との間の部分電圧のみによって駆動される。
【００３６】
図４は、電動機３の回転数ｎに対する利用可能な回転トルクＭを示すグラフの概略図を示している。破線による曲線の推移は、第１の駆動モードにおいて利用可能な回転トルクを示している。第１の駆動モードでは、電動機３は、インバータ２によって、第１の電気エネルギー貯蔵装置１１からの部分電圧のみによって駆動される。ここでは、限界回転数を上回ると、利用可能な回転数Ｍが落ちることが分かる。したがって、電動機３を、さらに場合によっては電動機３により駆動される電気自動車も、より強く加速させることができない。これに対して、第１の電気エネルギー貯蔵装置１１と第２の電気エネルギー貯蔵装置１２との組み合わせから成る電気エネルギー貯蔵器１の全電圧が利用される際には、利用可能な回転トルクは、遥かにより高い回転数範囲に亘って、ここでも回転トルクの低下が示されるまで一定のままである。したがって、電動機３は、より高い電圧で駆動される際には、より高い回転数範囲に亘っても非常に良好に加速されうる。
【００３７】
上述の電気駆動システムは、例えば、完全にまたは部分的に電気で駆動する車両のために使用されうる。特に、最高速度が比較的速い乗用車の場合に、非常に大きな速度範囲に亘って良好な加速を実現することが可能である。回転数が高い際でもまだ高い回転トルクを提供することが可能である。同様に、上述の電気駆動システムも、任意の他の自動車のために使用されうる。例えば、バスまたはトラック等の重量がより大きい車両も、通常の走行駆動では一の駆動モードで駆動され、強い加速の間には他の駆動モードで駆動されうる。
【００３８】
図５は、一実施形態に係る電動機３を駆動する方法の土台となるフロー図の概略図を示している。第１の工程Ｓ１において、第１のエネルギー装置１１および第２のエネルギー装置１２を備える電気的エネルギー貯蔵器１が提供される。２つのエネルギー貯蔵装置１１および１２は、好適に、共通の接点Ｋで互いに電気的に結合されている。工程Ｓ２において、電動機３は、第１の駆動モードにおいて、第１の電気エネルギー貯蔵装置１１により提供される電圧を利用して駆動される。さらに、工程Ｓ３において、電動機３は、第２の駆動モードにおいて、第１の電気エネルギー貯蔵装置１１と第２の電気エネルギー貯蔵装置１２とから成る並列回路により得られる第２の電圧を利用して駆動される。その際に、電動機３は、電動機３の回転数が所定の第１の限界値を上回りおよび／または電動機により提供される回転トルクが所定の第２の限界値を上回る場合には、第２の駆動モードで駆動される。
【００３９】
以上、本発明は、電動機および電動機を駆動する方法に関する。電動機は、第１の駆動モードにおいて第１の電圧を利用して駆動される。一時的に出力を上げるために、電動機はさらに、第２の駆動モードで駆動される。第２の駆動モードでは、駆動のために利用される電圧が、第２のエネルギー源によって高められる。
【図１】
0006494749.tif 000002
【図２】
0006494749.tif 000003
【図３】
0006494749.tif 000004
【図４】
0006494749.tif 000005
【図５】
0006494749.tif 000006